(57)【要約】【課題】セキュリティ情報に基づいたサービスの利用を簡易に可能とする。【解決手段】本発明の通信システムは、第１の通信装置と、ネットワークに接続されるとともに、第１の通信装置と通信可能な第２の通信装置と、を備え、第１の通信装置が第２の通信装置を介して前記ネットワーク上のサービスを利用する通信システムであって、第１の通信装置は、撮影部と、第２の通信装置と通信する通信インタフェース部と、第２の通信装置を介したサービスの利用に関するセキュリティ情報がコード化されたコード画像を撮影する旨が入力されると、撮影部に撮影を行わせ、撮影部が撮影したコード画像に含まれるセキュリティ情報を読み取って記憶し、第２の通信装置を介して前記ネットワーク上のサービスを利用する旨が入力されると、記憶しているセキュリティ情報に基づいたサービスの利用要求を通信インタフェース部を介して第２の通信装置に送信する制御部と、を有する。【選択図】図１
2014050012.tif 000002
【特許請求の範囲】
【請求項１】
第１の通信装置と、ネットワークに接続可能であるとともに、前記第１の通信装置と通信可能な第２の通信装置と、を備え、前記第１の通信装置が前記第２の通信装置を介して前記ネットワーク上のサービスを利用する通信システムであって、
前記第１の通信装置は、
撮影部と、
記憶部と、
前記第２の通信装置と通信する通信インタフェース部と、
前記第２の通信装置を介したサービスの利用に関するセキュリティ情報がコード化されたコード画像を撮影する旨が入力されると、前記撮影部に撮影を行わせ、前記撮影部が撮影したコード画像に含まれる前記セキュリティ情報を読み取って前記記憶部に記憶させ、前記第２の通信装置を介して前記ネットワーク上のサービスを利用する旨が入力されると、前記記憶部に記憶されているセキュリティ情報に基づいたサービスの利用要求を前記通信インタフェース部を介して前記第２の通信装置に送信する制御部と、を有することを特徴とする通信システム。
【請求項２】
請求項１記載の通信システムにおいて、
前記セキュリティ情報は、前記サービスの利用に必要な認証情報であり、
前記制御部は、前記第２の通信装置を介して前記ネットワーク上のサービスを利用する旨が入力されると、前記認証情報を含むサービスの利用要求を前記第２の通信装置に送信することを特徴とする通信システム。
【請求項３】
請求項１記載の通信システムにおいて、
前記第２の通信装置は、前記第１の通信装置からの要求に応じてネットワーク上のサイトを閲覧させ、
前記セキュリティ情報は、閲覧が制限されるサイトを示すサイト情報であり、
前記制御部は、前記第２の通信装置を介して前記ネットワーク上の特定のサイトを閲覧する旨が入力されると、該特定のサイトが前記サイト情報に示されるサイトであるか否かを判定し、前記特定のサイトが前記サイト情報に示されるサイトでない場合には、前記特定のサイトの閲覧要求を前記通信インタフェース部を介して前記第２の通信装置に送信し、前記特定のサイトが前記サイト情報に示されるサイトに一致する場合には、前記特定のサイトの閲覧要求を送信しないことを特徴とする通信システム。
【請求項４】
請求項３記載の通信システムにおいて、
前記第２の通信装置は、前記サイト情報を取得する取得部を有し、
前記制御部は、前記第２の通信装置との通信が確立された後、前記取得部が取得したサイト情報の送信要求を前記通信インタフェース部を介して前記第２の通信装置に送信し、前記送信要求に応じて前記第２の通信装置から送信されてきたサイト情報を前記通信インタフェース部を介して取得し、該取得したサイト情報を前記記憶部に記憶させることを特徴とする通信システム。
【請求項５】
請求項４記載の通信システムにおいて、
表示部をさらに備え、
前記制御部は、前記第２の通信装置から取得したサイト情報をコード化したコード画像を生成し、前記表示部に表示させることを特徴とする通信システム。
【請求項６】
請求項１から５のいずれか１項に記載の通信システムにおいて、
前記ＱＲコードには、前記第２の通信装置との通信の確立に必要な設定情報がさらに含まれ、
前記制御部は、前記撮影部が撮影したＱＲコードに含まれる前記設定情報を読み取り、該読み取った設定情報に基づいて前記通信インタフェース部に前記第２の通信装置との通信を確立させることを特徴とする通信システム。
【請求項７】
請求項１記載の通信システムにおいて、
前記セキュリティ情報は、ドアの開閉の認証に用いられる電子鍵情報であり、
前記制御部は、前記ドアを開閉する旨が入力されると、前記電子鍵情報を含むドアの開閉要求を前記通信インタフェース部を介して前記第２の通信装置に送信することを特徴とする通信システム。
【請求項８】
ネットワークに接続されたネットワーク装置と通信可能であり、前記ネットワーク装置を介して前記ネットワーク上のサービスを利用する通信装置であって、
撮影部と、
記憶部と、
前記ネットワーク装置と通信する通信インタフェース部と、
前記ネットワーク装置を介したサービスの利用に関するセキュリティ情報がコード化されたコード画像を撮影する旨が入力されると、前記撮影部に撮影を行わせ、前記撮影部が撮影したコード画像に含まれる前記セキュリティ情報を読み取って前記記憶部に記憶させ、前記第２の通信装置を介して前記前記ネットワーク上のサービスを利用する旨が入力されると、前記記憶部に記憶されているセキュリティ情報に基づいたサービスの利用要求を前記通信インタフェース部を介して前記第２の通信装置に送信する制御部と、を有することを特徴とする通信装置。
【請求項９】
撮影部と、ネットワークに接続されたネットワーク装置と通信する通信インタフェース部と、を有し、前記ネットワーク装置を介して前記ネットワーク上のサービスを利用する通信装置の制御方法であって、
前記ネットワーク装置を介したサービスの利用に関するセキュリティ情報がコード化されたコード画像を撮影する旨が入力されると、前記撮影部により前記コード画像を撮影し、
前記撮影部が撮影したコード画像に含まれる前記セキュリティ情報を読み取り、
前記第２の通信装置を介して前記ネットワーク上のサービスを利用する旨が入力されると、前記セキュリティ情報に基づいたサービスの利用要求を前記通信インタフェース部を介して前記ネットワーク装置に送信することを特徴とする通信装置の制御方法。
【発明の詳細な説明】
【技術分野】
【０００１】
本発明は、通信システム、通信装置およびその制御方法に関する。
【背景技術】
【０００２】
ＬＡＮ（Ｌｏｃａｌ  Ａｒｅａ  Ｎｅｔｗｏｒｋ）に接続可能なクライアント装置と、ＬＡＮに接続されるとともに、外部のネットワークに接続されるルータなどのネットワーク装置と、を備える通信システムにおいては、クライアント装置は、ネットワーク装置を介して、外部のネットワーク上のサイトの閲覧などのサービスを利用することができる。
【０００３】
特許文献１（特開２００６−１５７８１５号公報）には、ルータがカメラを有する携帯電話とＬＡＮを介して通信を行う通信システムにおいて、ルータとのＬＡＮを介した通信を確立するために必要な情報がコード化されたＱＲコード（登録商標）がルータの筐体に貼付されていて、携帯電話のカメラによりＱＲコードを撮影し、撮影したＱＲコードに含まれる情報を読み取り、読み取った情報に基づいてルータとの通信を確立する技術が開示されている。
【０００４】
特許文献１に開示の技術によれば、ＱＲコードを撮影するだけで、ルータとの通信の確立に必要な情報が携帯電話に設定され、ルータとのＬＡＮを介した通信が確立される。
【先行技術文献】
【特許文献】
【０００５】
【特許文献１】特開２００６−１５７８１５号公報
【発明の概要】
【発明が解決しようとする課題】
【０００６】
クライアント装置がネットワーク装置を介してサービスを利用するような通信システムにおいては、不正なサービスの利用を防止し、セキュリティを確保することが必要である。そこで、ネットワーク装置を介したサービスの利用に関するセキュリティ情報が設定され、そのセキュリティ情報に基づいたサービスの利用が行われることで、セキュリティの確保が図られることがある。
【０００７】
セキュリティ情報としては、例えば、サービスを提供するＩＳＰ（Ｉｎｔｅｒｎｅｔ  Ｓｅｒｖｉｅ  Ｐｒｏｖｉｄｅｒ）事業者が割り当てるＩＤおよびパスワードなどの認証情報がある。認証情報がネットワーク装置に設定され、クライアント装置がサービスの利用要求をネットワーク装置に送信すると、ネットワーク装置が認証情報をＩＳＰ事業者側に送信することで、ＩＳＰ事業者側で認証が行われ、クライアント装置はネットワーク装置を介したサービスの利用が可能となる。
【０００８】
また、セキュリティ情報としては、有害な情報を含む有害サイトを示すサイト情報がある。サイト情報がネットワーク装置に設定され、クライアント装置から特定のサイトの閲覧要求があると、ネットワーク装置が、閲覧が要求されたサイトが設定されたサイト情報に示される有害サイトであるか否かを判定し、閲覧が要求されたサイト有害サイトである場合には、そのサイトの閲覧が拒否される。
【０００９】
上述した認証情報やサイト情報などのセキュリティ情報をネットワーク装置に設定することで、そのセキュリティ情報に基づいたサービスの利用が行われ、不正なサービスの利用を防止し、セキュリティの確保が図られる。ここで、通常、セキュリティ情報の設定はユーザが行う必要があり、このような設定はユーザにとって難しいことが多い。そのため、セキュリティ情報に基づいたサービスの利用を簡易に行うことが難しかった。
【００１０】
特許文献１に開示の技術は、ＬＡＮを介した通信を簡易に確立させるためのものであり、セキュリティ情報に基づいたサービスの利用を簡易に可能とすることについては考慮されていない。
【００１１】
本発明の目的は、セキュリティ情報に基づいたサービスの利用を簡易に可能とする通信システム、通信装置およびその制御方法を提供することにある。
【課題を解決するための手段】
【００１２】
上記目的を達成するために本発明の通信システムは、
第１の通信装置と、ネットワークに接続されるとともに、前記第１の通信装置と通信可能な第２の通信装置と、を備え、前記第１の通信装置が前記第２の通信装置を介して前記ネットワーク上のサービスを利用する通信システムであって、
前記第１の通信装置は、
撮影部と、
記憶部と、
前記第２の通信装置と通信する通信インタフェース部と、
前記第２の通信装置を介したサービスの利用に関するセキュリティ情報がコード化されたコード画像を撮影する旨が入力されると、前記撮影部に撮影を行わせ、前記撮影部が撮影したコード画像に含まれる前記セキュリティ情報を読み取って前記記憶部に記憶させ、前記第２の通信装置を介して前記ネットワーク上のサービスを利用する旨が入力されると、前記記憶部に記憶されているセキュリティ情報に基づいたサービスの利用要求を前記通信インタフェース部を介して前記第２の通信装置に送信する制御部と、を有する。
【００１３】
上記目的を達成するために本発明の通信装置は、
ネットワークに接続されたネットワーク装置と通信可能であり、前記ネットワーク装置を介して前記ネットワーク上のサービスを利用する通信装置であって、
撮影部と、
記憶部と、
前記ネットワーク装置と通信する通信インタフェース部と、
前記ネットワーク装置を介したサービスの利用に関するセキュリティ情報がコード化されたコード画像を撮影する旨が入力されると、前記撮影部に撮影を行わせ、前記撮影部が撮影したコード画像に含まれる前記セキュリティ情報を読み取って前記記憶部に記憶させ、前記第２の通信装置を介して前記ネットワーク上のサービスを利用する旨が入力されると、前記記憶部に記憶されているセキュリティ情報に基づいたサービスの利用要求を前記通信インタフェース部を介して前記第２の通信装置に送信する制御部と、を有する。
【００１４】
上記目的を達成するために本初枝明の通信装置の制御方法は、
撮影部と、ネットワークに接続されたネットワーク装置と通信する通信インタフェース部と、を有し、前記ネットワーク装置を介して前記ネットワーク上のサービスを利用する通信装置の制御方法であって、
前記ネットワーク装置を介したサービスの利用に関するセキュリティ情報がコード化されたコード画像を撮影する旨が入力されると、前記撮影部により前記コード画像を撮影し、
前記撮影部が撮影したコード画像に含まれる前記セキュリティ情報を読み取り、
前記第２の通信装置を介して前記ネットワーク上のサービスを利用する旨が入力されると、前記セキュリティ情報に基づいたサービスの利用要求を前記通信インタフェース部を介して前記ネットワーク装置に送信する。
【発明の効果】
【００１５】
本発明によれば、セキュリティ情報に基づいたサービスの利用が簡易に可能となる。
【図面の簡単な説明】
【００１６】
【図１】本発明の第１の実施形態の通信システムの構成を示す図である。
【図２】図１に示すクライアント装置の動作を示すフローチャートである。
【図３】図１に示すクライアント装置の動作を示すフローチャートである。
【図４】図１に示すクライアント装置の動作を示すフローチャートである。
【図５】本発明の第２の実施形態の通信システムの構成を示す図である。
【図６】図５に示すクライアント装置の動作を示すフローチャートである。
【図７】本発明の第３の実施形態の通信システムの他の構成を示す図である。
【図８】本発明の第４の実施形態の通信システムの動作を示すフローチャートである。
【発明を実施するための形態】
【００１７】
以下に、本発明を実施するための形態について図面を参照して説明する。
【００１８】
（第１の実施形態）
図１は、本発明の第１の実施形態の通信システム１０の構成を示す図である。
【００１９】
図１に示す通信システム１０は、第１の通信装置としてのクライアント装置１００と、第２の通信装置としてのネットワーク装置２００と、を備える。
【００２０】
クライアント装置１００は、無線ＬＡＮに接続可能な通信装置である。クライアント装置１００の具体例としては、携帯電話、スマートフォン、パーソナルコンピュータなどがある。
【００２１】
ネットワーク装置２００は、例えば、ルータやアクセスポイントなどであり、無線ＬＡＮに接続されるとともに、インターネットなどの外部のネットワーク３００に接続される。ネットワーク装置２００は、クライアント装置１００からネットワーク３００上のサービスの利用要求が送信されると、クライアント装置１００とネットワーク３００との間でデータ転送を行う。こうすることで、クライアント装置１００は、ネットワーク装置２００を介してサービスを利用することができる。
【００２２】
図１に示す通信システム１０において、ネットワーク３００上のサービスを利用する旨がクライアント装置１００に入力されると、クライアント装置１００は、ネットワーク装置２００との無線ＬＡＮを介した通信を確立し、サービスの利用要求をネットワーク装置２００に送信する。ネットワーク装置２００は、その利用要求に応じて、クライアント装置１００によるサービスの利用を可能とする。
【００２３】
ここで、ネットワーク装置２００との無線ＬＡＮを介した通信を確立するためには、ＳＳＩＤ（Ｓｅｒｖｉｃｅ  Ｓｅｔ  Ｉｄｅｎｔｉｆｉｅｒ）などの情報をクライアント装置１００に設定する必要がある。以下では、ネットワーク装置２００との無線ＬＡＮを介した通信を確立するために、クライアント装置１００に設定が必要な情報を設定情報と称する。
【００２４】
また、通常、ネットワーク３００上のサービスを提供するＩＳＰ事業者により割り当てられたＩＤおよびパスワードなどのＩＳＰ認証情報や、有害な情報を含む有害サイトを示すサイト情報などに基づいて、不正なサービスの利用などが防止される。以下では、ＩＳＰ認証情報やサイト情報などの、サービスの利用に関し、不正なサービスの利用を防止し、セキュリティを確保するための情報をセキュリティ情報と称する。
【００２５】
本実施形態においては、ネットワーク装置２００を介してサービスを利用するための設定情報およびセキュリティ情報が予めコード化されたＱＲコード４００が、ネットワーク装置２００に対応して設けられる。ここで、ＱＲコード４００は、シールなどによりネットワーク装置２００に貼付されてユーザに提示されたり、サービスを利用する権限を有するユーザに配布されたりする。
【００２６】
ＱＲコード４００は、ＩＳＰ事業者などにより、サービスの利用契約を行ったユーザにルータなどのネットワーク装置が貸し出され、そのユーザの宅内などでＬＡＮが形成されるような場合に、ＩＳＰ事業者により割り当てられた認証情報や、利用契約時に設定された閲覧を制限する有害サイトを示すサイト情報がコード化されて生成される。
【００２７】
なお、図１においては、クライアント装置１００およびネットワーク装置２００はそれぞれ１つである例を示しているが、クライアント装置１００およびネットワーク装置２００はそれぞれ複数であってもよい。ネットワーク装置が複数ある場合、設定情報は、ネットワーク装置毎に固有であり、ネットワーク装置固有の設定情報をクライアント装置１００に設定することで、そのネットワーク装置との通信が可能となる。
【００２８】
次に、クライアント装置１００の要部構成を説明する。なお、ネットワーク装置２００は、一般的なルータやアクセスポイントなどであり、その構成は当業者にとってよく知られおり、また、本発明と直接関係しないため、説明を省略する。
【００２９】
クライアント装置１００は、撮影部１１０と、記憶部１２０と、無線ＬＡＮインタフェース部１３０と、制御部１４０と、を有する。また、制御部１４０は、解読部１４１と、セキュリティ処理部１４２とを有する。無線ＬＡＮインタフェース部は、通信インタフェース部の一例である。
【００３０】
撮影部１１０は、制御部１４０の制御に従って撮影を行い、撮影画像の画像データを制御部１４０に出力する。
【００３１】
記憶部１２０は、種々の情報を記憶する。
【００３２】
無線ＬＡＮインタフェース部１３０は、ネットワーク装置２００に対応する設定情報に基づいてネットワーク装置２００との無線ＬＡＮを介した通信を確立し、通信を行う。
【００３３】
制御部１４０は、不図示の入力部を介した操作入力に応じて、クライアント装置１００全体の動作を制御する。
【００３４】
解読部１４１は、撮影部１１０によりＱＲコード４００が撮影されると、そのＱＲコード４００に含まれる設定情報およびセキュリティ情報を読み取り、記憶部１２０に記憶させる。解読部１４１は、複数のネットワーク装置のＱＲコードの撮影が行われた場合には、ネットワーク装置毎に、読み取った設定情報およびセキュリティ情報を記憶部１２０に記憶させる。
【００３５】
セキュリティ処理部１４２は、ネットワーク装置２００を介してネットワーク３００上のサービスを利用する旨が不図示の入力部を介して入力されると、ネットワーク装置２００に対応する認証情報およびセキュリティ情報を記憶部１２０から読み出し、無線ＬＡＮインタフェース部１３０に読み出した設定情報に基づいてネットワーク装置２００との無線ＬＡＮを介した通信を確立させる。さらに、セキュリティ処理部１４２は、読み出したセキュリティ情報に基づいたサービスの利用要求を無線ＬＡＮインタフェース部１３０を介してネットワーク装置２００に送信する。
【００３６】
次に、クライアント装置１００の動作について説明する。
【００３７】
まず、ＱＲコード４００の撮影時のクライアント装置１００の動作を図２に示すフローチャートを参照して説明する。
【００３８】
制御部１４０は、ＱＲコード４００の撮影指示が入力されたか否かを判定する（ステップＳ２１）。
【００３９】
ＱＲコード４００の撮影指示が入力されていない場合には（ステップＳ２１：Ｎｏ）、制御部１４０は、ステップＳ２１の処理を繰り返す。
【００４０】
ＱＲコード４００の撮影指示が入力されると（ステップＳ２１：Ｙｅｓ）、制御部１４０は、撮影部１１０に撮影を行わせる（ステップＳ２２）。
【００４１】
次に、解読部１４１は、撮影部１１０により撮影されたＱＲコード４００に含まれる設定情報およびセキュリティ情報を読み取り（ステップＳ２３）、読み取った設定情報およびセキュリティ情報を記憶部１２０に記憶させて（ステップＳ２４）、処理を終了する。
【００４２】
次に、サービス利用時のクライアント装置１００の動作を図３に示すフローチャートを参照して説明する。なお、図３においては、セキュリティ情報がネットワーク装置２００に割り当てられたＩＳＰ認証情報である例を用いて説明する。また、以下では、ネットワーク装置２００のＱＲコード４００に含まれる設定情報およびＩＳＰ認証情報が記憶部１２０に既に記憶されているものとする。
【００４３】
セキュリティ処理部１４２は、ネットワーク装置２００を介してネットワーク３００上のサービスを利用する旨の入力を検知すると（ステップＳ３１）、ネットワーク装置２００に対応する設定情報およびＩＳＰ認証情報を記憶部１２０から読み出す（ステップＳ３２）。
【００４４】
次に、セキュリティ処理部１４２は、無線ＬＡＮインタフェース部１３０に読み出した設定情報に基づいてネットワーク装置２００との通信を確立させる（ステップＳ３３）。
【００４５】
次に、セキュリティ処理部１４２は、読み出したＩＳＰ認証情報を含むサービスの利用要求を無線ＬＡＮインタフェース部１３０を介してネットワーク装置２００に送信する（ステップＳ３４）。
【００４６】
ネットワーク装置２００は、クライアント装置１００から送信されてきたサービスの利用要求をＩＳＰ事業者側に転送する。ＩＳＰ事業者側において、ＩＳＰ認証情報に基づいて認証が行われ、認証が成功すると、クライアント装置１００によるサービスの利用が可能となる。
【００４７】
このように、ＱＲコード４００にＩＳＰ認証情報を含め、クライアント装置１００が、ＱＲコード４００を撮影して読み取ったＩＳＰ認証情報を含むサービスの利用要求をネットワーク装置２００に送信することで、ネットワーク装置２００にＩＳＰ認証情報の設定を行うことなく、サービスの利用が可能となる。
【００４８】
図３においては、セキュリティ情報がＩＳＰ認証情報である例を用いて説明したが、本発明はこれに限られるものではない。以下では、セキュリティ情報がサイト情報である場合のクライアント装置１００の動作を図４に示すフローチャートを参照して説明する。なお、以下では、ＱＲコード４００に含まれる設定情報およびサイト情報が記憶部１２０に既に記憶されているものとする。
【００４９】
セキュリティ処理部１４２は、ネットワーク装置２００を介してネットワーク３００上の特定のサイトを閲覧する旨が入力されたことを検知すると（ステップＳ４１）、ネットワーク装置２００に対応する設定情報およびサイト情報を記憶部１２０から読み出す（ステップＳ４２）。
【００５０】
次に、セキュリティ処理部１４２は、無線ＬＡＮインタフェース部１３０に読み出した設定情報に基づいてネットワーク装置２００との通信を確立させる（ステップＳ４３）。
【００５１】
次に、セキュリティ処理部１４２は、閲覧が要求されたサイトが読み出したサイト情報に示される有害サイトであるか否かを判定する（ステップＳ４４）。
【００５２】
閲覧が要求されたサイトが有害サイトでない場合には（ステップＳ４４：Ｎｏ）、セキュリティ処理部１４２は、特定のサイトの閲覧要求をネットワーク装置２００に送信する（ステップＳ４５）。
【００５３】
一方、閲覧が要求されたサイトが有害サイトである場合には（ステップＳ４４：Ｙｅｓ）、セキュリティ処理部１４２は、その特定のサイトの閲覧要求をネットワーク装置２００に送信することなく、特定のサイトへの接続を拒否する旨をユーザに通知する拒否通知を行う（ステップＳ４６）。ここで、拒否通知は、例えば、クライアント装置１００の表示部（図１においては不図示）に、特定のサイトへの接続を拒否する旨を示すメッセージを表示するなどして行われる。
【００５４】
別のサイトを閲覧する旨の入力を検知すると、セキュリティ処理部１４２は、ステップＳ４４の処理に戻り、閲覧が要求されたサイトが有害サイトであるか否かを判定する。
【００５５】
このように本実施形態によれば、クライアント装置１００は、設定情報およびセキュリティ情報がコード化されたＱＲコード４００を撮影し、撮影したＱＲコード４００から設定情報およびセキュリティ情報を読み取り、ネットワーク装置２００を介してネットワーク３００上のサービスを利用する旨が入力されると、ネットワーク装置２００に対応するセキュリティ情報に基づいたサービスの利用要求をネットワーク装置２００に送信する。
【００５６】
そのため、セキュリティ情報のネットワーク装置２００への設定を行うことなく、セキュリティ情報に基づいたサービスの利用が簡易に可能となる。
【００５７】
（第２の実施形態）
有害サイトは新たに設けられたり、削除されたりするため、閲覧が要求されたサイトが有害サイトであるか否かを判定するために記憶部１２０に記憶されるサイト情報も、有害サイトの最新の情報が反映されたものであることが望ましい。
【００５８】
ＱＲコードに含まれるサイト情報を更新するには、ＱＲコード自体を新たなサイト情報がコード化されたものに変更する必要がある。そのため、ＱＲコードを用いて、クライアント装置に記憶されるサイト情報を更新するためには、新たなサイト情報がコード化されたＱＲコードを別途用意し、ネットワーク装置２００に貼付などする必要がある。そのため、ＱＲコードを用いて、クライアント装置内のサイト情報を最新のサイト情報に更新するのは手間がかかる。そこで、本発明の第２の実施形態においては、簡易にクライアント装置内のサイト情報を最新のサイト情報に更新することができる通信システムについて説明する。
【００５９】
図５は、本実施形態の通信システム１０Ａの構成を示す図である。図５において、図１と同様の構成については同じ符号を付し、説明を省略する。
【００６０】
本実施形態の通信システム１０Ａは、第１の実施形態の通信システム１０と比較して、クライアント装置１００をクライアント装置１００Ａに変更した点と、ネットワーク装置２００をネットワーク装置２００Ａに変更して点と、が異なる。クライアント装置１００Ａは、クライアント装置１００と比較して、制御部１４０を制御部１４０Ａに変更した点が異なる。ネットワーク装置２００Ａは、ネットワーク装置２００Ａと比較して、取得部５１０を追加した点が異なる。
【００６１】
取得部５１０は、例えば、最新のサイト情報を管理する管理サーバなどから、ネットワーク３００を介して最新のサイト情報を取得する。
【００６２】
制御部１４０Ａは、制御部１４０と比べて、セキュリティ処理部１４２をセキュリティ処理部１４２Ａに変更した点が異なる。
【００６３】
セキュリティ処理部１４２Ａは、セキュリティ処理部１４２の動作に加えて、サイト情報の送信要求を無線ＬＡＮインタフェース部１３０を介してネットワーク装置２００Ａに送信する。また、セキュリティ処理部１４２Ａは、送信要求に応じてネットワーク装置２００Ａから送信されてきたサイト情報を、無線ＬＡＮインタフェース部１３０を介して取得し、記憶部１２０に記憶されているサイト情報を取得したサイト情報に更新する。
【００６４】
次に、クライアント装置１００Ａの動作を図６に示すフローチャートを参照して説明する。図６において、図２および図４と同様の処理については同じ符号を付し、説明を省略する。
【００６５】
解読部１４１により、図２に示すステップＳ２１からステップＳ２３の処理が行われ、ＱＲコード４００に含まれる設定情報およびサイト情報が記憶部１２０に記憶される（ステップＳ２４）。
【００６６】
解読部１４１により設定情報およびサイト情報が記憶部１２０に記憶されると、セキュリティ処理部１４２Ａは、タイマを起動させる（ステップＳ６１）。
【００６７】
次に、セキュリティ処理部１４２Ａは、ネットワーク３００上の特定のサイトを閲覧する旨の入力を検知すると（ステップＳ４１）、ステップＳ４２およびステップＳ４３の処理を行った後、閲覧が要求されたサイトが有害サイトであるか否かを判定し（ステップＳ４４）、閲覧が要求されたサイトが有害サイトでない場合には（ステップＳ４４：Ｎｏ）、特定のサイトの閲覧要求をネットワーク装置２００Ａに送信する（ステップＳ４５）。
【００６８】
次に、セキュリティ処理部１４２Ａは、タイマが予め定められた所定値に達したか否かを判定する（ステップ６２）。
【００６９】
タイマが所定値に達していない場合には（ステップＳ６２：Ｎｏ）、セキュリティ処理部１４２Ａは、処理を終了する。
【００７０】
タイマが所定値に達した場合には（ステップＳ６２：Ｙｅｓ）、セキュリティ処理部１４２は、サイト情報の送信要求を無線ＬＡＮインタフェース部１３０を介してネットワーク装置２００Ａに送信する。さらに、セキュリティ処理部１４２Ａは、送信要求に応じてネットワーク装置２００Ａから送信されてきたサイト情報を無線ＬＡＮインタフェース部１３０を介して取得し、記憶部１２０に記憶されているサイト情報を取得したサイト情報に更新する。
【００７１】
ネットワーク装置２００Ａにおいては、取得部５１０が最新のサイト情報を取得している。この最新のサイト情報をネットワーク装置２００Ａから取得し、記憶部１２０に記憶することで、クライアント装置１００Ａにおけるサイト情報を最新のサイト情報に更新することができる。
【００７２】
サイト情報を記憶部１２０に記憶させた後、セキュリティ処理部１４２Ａは、タイマをクリアして、再起動し（ステップＳ６４）、処理を終了する。
【００７３】
このように本実施形態の通信システム１０Ａによれば、ネットワーク装置２００Ａは、最新のサイト情報を取得し、クライアント装置１００Ａは、ネットワーク装置２００Ａからその最新のサイト情報を無線ＬＡＮを介して取得し、記憶する。
【００７４】
そのため、クライアント装置１００Ａのサイト情報を最新のサイト情報に更新することができる。
【００７５】
（第３の実施形態）
第２の実施形態の通信システム１０Ａにおいては、複数のクライアント装置１００Ａが存在する場合に、各クライアント装置１００Ａとネットワーク装置２００Ａとの間で、サイト情報の送受信などが行われると、ネットワーク装置２００Ａの処理負荷の増大や、無線リソースの浪費を招く。そこで、本発明の第３の実施形態においては、ネットワーク装置２００Ａの処理負荷の増大や無線リソースの浪費を抑制する通信システムについて説明する。
【００７６】
図７は、本実施形態の通信システム１０Ｂの構成を示す図である。図７において、図５と同様の構成については同じ符号を付し、説明を省略する。
【００７７】
本実施形態の通信システム１０Ｂは、第２の実施形態の通信システム１０Ａと比較して、クライアント装置１００Ａをクライアント装置１００Ｂに変更した点と、表示部７００を追加した点と、が異なる。
【００７８】
表示部７００は、画像データが入力されると、その画像データに示される画像を表示する。ここで、表示部７００は、例えば、無線ＬＡＮが構築された宅内などに設けられており、表示部７００の表示はユーザに提示される。
【００７９】
クライアント装置１００Ｂは、第２の実施形態のクライアント装置１００Aと比較して、制御部１４０Ａを制御部１４０Ｂに変更した点と、表示インタフェース部７１０を追加した点と、が異なる。
【００８０】
制御部１４０Ｂは、制御部１４０Ａと比較して、ＱＲコード生成部７２０を追加した点が異なる。
【００８１】
表示インタフェース部７１０は、表示部７００と有線または無線を介して通信可能であり、画像データを表示部７００に送信し、画像を表示させる。
【００８２】
ＱＲコード生成部７２０は、セキュリティ処理部１４２Ａがネットワーク装置２００Ａから最新のサイト情報を取得して記憶部１２０に記憶させると、その最新のサイト情報をコード化したＱＲコードを生成する。さらに、ＱＲコード生成部７２０は、生成したＱＲコードの画像データを表示インタフェース部７１０に表示部７００へ送信させる。
【００８３】
ＱＲコードの画像データが入力されることで、表示部７００は、そのＱＲコードを表示する。上述したように、表示部７００の表示はユーザに提示されている。複数のクライアント装置１００Ｂが存在する場合に、１つのクライアント装置１００Ｂが最新のサイト情報をネットワーク装置２００Ａから取得し、そのサイト情報をコード化したＱＲコードを生成して表示部７００に表示させ、他のクライアント装置１００Ｂは、表示部７００に表示されているＱＲコードを撮影部１１０により撮影し、撮影したＱＲコードからサイト情報を読み取ることで、最新のサイト情報を取得することできる。そのため、複数のクライアント装置１００Ｂが存在する場合に、各クライアント装置１００Ｂとネットワーク装置２００Ａとの間で、サイト情報の送受信などを行う必要がなくなり、ネットワーク装置２００Ａの処理負荷の増大や無線リソースの浪費を抑制することができる。
【００８４】
このように本実施形態の通信システム１０Ｂによれば、クライアント装置１００Ｂは、ネットワーク装置２００Ａからサイト情報を取得すると、そのサイト情報をコード化したＱＲコードを生成し、表示部７００に表示させる。
【００８５】
そのため、複数のクライアント装置１００Ｂが存在する場合にも、各クライアント装置１００Ｂとネットワーク装置２００Ａとの間でサイト情報の送受信などを行う必要がなくなり、ネットワーク装置２００Ａの処理負荷の増大や無線リソースの浪費を抑制することができる。
【００８６】
なお、本実施形態においては、クライアント装置１００Ｂとは別に表示部７００を設ける例を用いて説明したが、これに限るものではない。通常、携帯電話、スマートフォン、パーソナルコンピュータなどのクライアント装置１００Ｂは、表示部を備えている。サイト情報をコード化したＱＲコードをクライアント装置１００Ｂが備える表示部に表示するようにしてもよい。
【００８７】
また、上述した第１から第３の実施形態においては、セキュリティ情報がＩＳＰ認証情報あるいはサイト情報である例を用いて説明したが、これに限られるものではなく、セキュリティ情報にＩＳＰ認証情報およびサイト情報が含まれていてもよい。
【００８８】
（第４の実施形態）
第１から第３の実施形態においては、第１の通信装置であるクライアント装置と第２の通信装置であるネットワーク装置とが無線ＬＡＮを介して通信を行う通信システムを例とし、また、セキュリティ情報がＩＳＰ認証情報やサイト情報である例を用いて説明した。
【００８９】
一方、本発明の第４の実施形態においては、第１の通信装置をユーザが使用するクライアント装置とし、第２の通信装置がドアの自動開閉を制御するドア開閉照合ユニットに備えられたドア自動開閉システムに適用した例について説明する。この場合、第１の通信装置であるクライアント装置と第２の通信装置とは、例えば、赤外線通信により通信を行う。また、この場合、セキュリティ情報としては、ドアの開閉の認証を行うための情報（以下、電子鍵情報と称する）が用いられる。
【００９０】
上述したドア自動開閉システムの動作を図８に示すフローチャートを参照して説明する。
【００９１】
なお、本実施形態のドア自動開閉システムにおけるクライアント装置は、第１の実施形態のクライアント装置１００と比較して、無線ＬＡＮインタフェース部１３０を赤外線通信部に変更した点が異なり、他の構成は同様である。また、ＱＲコード４００には、セキュリティ情報として電子鍵情報がコードかされている。ＱＲコード４００は、ドア開閉照合ユニットにより開閉が制御されるドアの開閉を行う権限を有する人に予め配布されている。
【００９２】
撮影部１１０によるＱＲコード４００の撮影、ＱＲコード４００に含まれる電子鍵情報の読み取り、電子鍵情報の記憶などの処理は、図２に示した処理と同様であるため、説明を省略する。
【００９３】
セキュリティ処理部１４２は、不図示の入力部を介した、ドア開閉照合ユニットにより開閉が制御されるドアを開閉する旨の入力を検知すると（ステップＳ８１）、電子鍵情報を記憶部１２０から読み出す（ステップＳ８２）。
【００９４】
次に、セキュリティ処理部１４２は、読み出した電子鍵情報を赤外線通信部を介してドア開閉照合ユニットに備えられた第２の通信装置に送信する（ステップＳ８３）
第２の通信装置は、クライアント装置１００から送信されてきた電子鍵情報を受信し（ステップＳ８４）、その受信した電子鍵情報に基づいてドア照合ユニットにより認証が行われ、ドアの開閉制御が行われる（ステップＳ８５）。
【００９５】
このように本実施形態によれば、セキュリティ情報として、ドアの自動開閉の認証を行うための電子鍵情報を用い、ＱＲコード４００に電子鍵情報をコード化して含めることで、ユーザがクライアント装置１００によりＱＲコード４００を撮影するだけで、電子鍵情報がドア開閉照合ユニット側へ送信され、ドアの開閉制御が行われる。
【００９６】
上記の実施形態の一部または全部は、以下の付記のようにも記載されうるが、以下には限られない。
【００９７】
（付記１）
第１の通信装置と、ネットワークに接続可能であるとともに、前記第１の通信装置と通信可能な第２の通信装置と、を備え、前記第１の通信装置が前記第２の通信装置を介して前記ネットワーク上のサービスを利用する通信システムであって、
前記第１の通信装置は、
撮影部と、
記憶部と、
前記第２の通信装置と通信する通信インタフェース部と、
前記第２の通信装置を介したサービスの利用に関するセキュリティ情報がコード化されたコード画像を撮影する旨が入力されると、前記撮影部に撮影を行わせ、前記撮影部が撮影したコード画像に含まれる前記セキュリティ情報を読み取って前記記憶部に記憶させ、前記第２の通信装置を介して前記ネットワーク上のサービスを利用する旨が入力されると、前記記憶部に記憶されているセキュリティ情報に基づいたサービスの利用要求を前記通信インタフェース部を介して前記第２の通信装置に送信する制御部と、を有することを特徴とする通信システム。
【００９８】
（付記２）
付記１記載の通信システムにおいて、
前記セキュリティ情報は、前記サービスの利用に必要な認証情報であり、
前記制御部は、前記第２の通信装置を介して前記ネットワーク上のサービスを利用する旨が入力されると、前記認証情報を含むサービスの利用要求を前記第２の通信装置に送信することを特徴とする通信システム。
【００９９】
（付記３）
付記１記載の通信システムにおいて、
前記第２の通信装置は、前記第１の通信装置からの要求に応じてネットワーク上のサイトを閲覧させ、
前記セキュリティ情報は、閲覧が制限されるサイトを示すサイト情報であり、
前記制御部は、前記第２の通信装置を介して前記ネットワーク上の特定のサイトを閲覧する旨が入力されると、該特定のサイトが前記サイト情報に示されるサイトであるか否かを判定し、前記特定のサイトが前記サイト情報に示されるサイトでない場合には、前記特定のサイトの閲覧要求を前記通信インタフェース部を介して前記第２の通信装置に送信し、前記特定のサイトが前記サイト情報に示されるサイトに一致する場合には、前記特定のサイトの閲覧要求を送信しないことを特徴とする通信システム。
【０１００】
（付記４）
付記３記載の通信システムにおいて、
前記第２の通信装置は、前記サイト情報を取得する取得部を有し、
前記制御部は、前記第２の通信装置との通信が確立された後、前記取得部が取得したサイト情報の送信要求を前記通信インタフェース部を介して前記第２の通信装置に送信し、前記送信要求に応じて前記第２の通信装置から送信されてきたサイト情報を前記通信インタフェース部を介して取得し、該取得したサイト情報を前記記憶部に記憶させることを特徴とする通信システム。
【０１０１】
（付記５）
付記４記載の通信システムにおいて、
表示部をさらに備え、
前記制御部は、前記第２の通信装置から取得したサイト情報をコード化したコード画像を生成し、前記表示部に表示させることを特徴とする通信システム。
【０１０２】
（付記６）
付記１から５のいずれか１つに記載の通信システムにおいて、
前記ＱＲコードには、前記第２の通信装置との通信の確立に必要な設定情報がさらに含まれ、
前記制御部は、前記撮影部が撮影したＱＲコードに含まれる前記設定情報を読み取り、該読み取った設定情報に基づいて前記通信インタフェース部に前記第２の通信装置との通信を確立させることを特徴とする通信システム。
【０１０３】
（付記７）
付記１記載の通信システムにおいて、
前記セキュリティ情報は、ドアの開閉の認証に用いられる電子鍵情報であり、
前記制御部は、前記ドアを開閉する旨が入力されると、前記電子鍵情報を含むドアの開閉要求を前記通信インタフェース部を介して前記第２の通信装置に送信することを特徴とする通信システム。
【０１０４】
（付記８）
ネットワークに接続されたネットワーク装置と通信可能であり、前記ネットワーク装置を介して前記ネットワーク上のサービスを利用する通信装置であって、
撮影部と、
記憶部と、
前記ネットワーク装置と通信する通信インタフェース部と、
前記ネットワーク装置を介したサービスの利用に関するセキュリティ情報がコード化されたコード画像を撮影する旨が入力されると、前記撮影部に撮影を行わせ、前記撮影部が撮影したコード画像に含まれる前記セキュリティ情報を読み取って前記記憶部に記憶させ、前記第２の通信装置を介して前記前記ネットワーク上のサービスを利用する旨が入力されると、前記記憶部に記憶されているセキュリティ情報に基づいたサービスの利用要求を前記通信インタフェース部を介して前記第２の通信装置に送信する制御部と、を有することを特徴とする通信装置。
【０１０５】
（付記９）
撮影部と、ネットワークに接続されたネットワーク装置と通信する通信インタフェース部と、を有し、前記ネットワーク装置を介して前記ネットワーク上のサービスを利用する通信装置の制御方法であって、
前記ネットワーク装置を介したサービスの利用に関するセキュリティ情報がコード化されたコード画像を撮影する旨が入力されると、前記撮影部により前記コード画像を撮影し、
前記撮影部が撮影したコード画像に含まれる前記セキュリティ情報を読み取り、
前記第２の通信装置を介して前記ネットワーク上のサービスを利用する旨が入力されると、前記セキュリティ情報に基づいたサービスの利用要求を前記通信インタフェース部を介して前記ネットワーク装置に送信することを特徴とする通信装置の制御方法。
【符号の説明】
【０１０６】
１０，１０Ａ，１０Ｂ    通信システム
１００，１００Ａ，１００Ｂ    クライアント装置
１１０    撮影部
１２０    記憶部
１３０    無線ＬＡＮインタフェース部
１４０，１４０Ａ，１４０Ｂ    制御部
１４１    解読部
１４２，１４２Ａ    セキュリティ処理部
２００，２００Ａ    ネットワーク装置
３００    ネットワーク
４００    ＱＲコード
５１０    取得部
７００    表示部
７１０    表示インタフェース部
７２０    ＱＲコード生成部
【図１】
2014050012.tif 000003
【図２】
2014050012.tif 000004
【図３】
2014050012.tif 000005
【図４】
2014050012.tif 000006
【図５】
2014050012.tif 000007
【図６】
2014050012.tif 000008
【図７】
2014050012.tif 000009
【図８】
2014050012.tif 000010